(57)【要約】【課題】  必要な空針の本数が少なくてもよく、グランド編地が筒状編地になっても、筒状の切りポケット編地を確実に編成することができる、ポケット付編地の編成方法を提供する。【解決手段】  （ａ）で、両編地編成工程で編成される切りポケット編地２，３と、接合箇所までのグランド編地１との両編地を、編幅方向に隣接する区間に分けてそれぞれ筒状に編成する。（ｂ）に示す伏目処理工程で、グランド編地１の前針床に係止されている編地端部で、編幅方向の両側に設ける接合箇所１ａ，１ｂに、切りポケット編地２，３の前針床側終端部２ａ，３ｂがそれぞれ接合される。空針の本数を少なくすることができるので、グランド編地が筒状編地になっても、筒状のポケット編地を確実に編成することができる。後針床側終端部２ｃ，３ｄには、（ｃ）に示すグランド編地４が続く。【選択図】図１
2015010284.tif 000002
【特許請求の範囲】
【請求項１】
前後に針床を備える横編機を用い、筒状のポケット編地を備える筒状のグランド編地を、ポケットの開口部がコース方向となるように編成する、ポケット付編地の編成方法において、
ポケット編地との接合箇所までのグランド編地と、ポケット編地との両編地を、編幅方向に隣接する区間に分けてそれぞれ筒状に編成する両編地編成工程と、
両編地編成工程で編成したグランド編地とポケット編地とで、同じ針床側で隣接するそれぞれの編地の端部編目について、ポケット編地端部の編目をグランド編地の区間内に移動して、重ね目を形成した後、続けて新たな編目を形成する伏目処理と、伏目処理した編目に隣接したグランド編地端部について、重ね目を形成した後、続けて新たな編目を形成する伏目処理とを交互に繰返し、ポケット編地端部およびグランド編地端部の編目を減らしながら、ポケット編地端部をグランド編地端部側に回し込む伏目処理工程と、
伏目処理工程で減らしを行った後に残るグランド編地とポケット編地の編目に続けて新たな編目を形成し、グランド編地の編成を行うグランド編地編成工程とを、
含むことを特徴とするポケット付編地の編成方法。
【請求項２】
前記伏目処理工程では、
ポケット編地端部の複数の編目を、グランド編地の区間内の空針に重ね目を形成するように移動し、形成した重ね目に対して新たな編目を形成するポケット編地側開始処理と、
グランド編地端部の複数の編目を、ポケット編地側開始処理で新たに形成した編目にポケット編地から離れる側で隣接する空針に重ね目を形成するように移動し、形成した重ね目に対して新たな編目を形成するグランド編地側開始処理とで、それぞれ伏目処理を開始し、
ポケット編地端部の編目について、ポケット側開始処理で新たに形成した編目に重ねるように移動し、形成した重ね目に対して新たな編目を形成するポケット編地側継続処理と、
グランド編地端部の編目について、グランド側開始処理で新たに形成した編目に重ねるように移動し、形成した重ね目に対して新たな編目を形成するグランド編地側継続処理とを、
交互に繰返すことを特徴とする請求項１記載ポケット付編地の編成方法。
【請求項３】
前記ポケット編地側開始処理および前記グランド編地側開始処理で重ね目を形成する空針は、移動するポケット側編地端部とグランド側編地端部とを移動前に係止する針床に対向する針床に配置され、前記新たな編目は裏目となることを特徴とする、請求項２記載のポケット付編地の編成方法。
【発明の詳細な説明】
【技術分野】
【０００１】
本発明は、横編機を使用し、筒状のグランド編地中でコース方向に延びる開口部を有するように、切りポケットを形成することができる、ポケット付編地の編成方法に関する。
【背景技術】
【０００２】
従来から、少なくとも前後一対の針床を有する横編機を使用して、表地に切込みを入れて内側に袋を付けたような、切りポケットを有する編地の編成方法が開示されている（たとえば、特許文献１参照）。特許文献１による切りポケットでは、編地として一体的に編成する過程で、グランド編地中にコース方向に延びる開口部を有し、グランド編地の裏側に隠れるようにポケット編地が形成される。また、横編機を使用すれば、サイドポケット付きの筒状編地も編成可能である（たとえば、特許文献２参照）。
【先行技術文献】
【特許文献】
【０００３】
【特許文献１】特許第３４０６０９７号公報
【特許文献２】特開２００５−８９８８７号公報
【発明の概要】
【発明が解決しようとする課題】
【０００４】
特許文献１に開示されている編成方法では、前身頃などの単層編地をグランド編地としているので、前後一対の針床を使用して針抜き編成を行い、グランド編地を一方の針床に係止しながら、グランド編地の編地幅内で、ポケット編地を筒状に編成することができる。ポケット編地の編成には、ポケット編地としての編幅分の編目数に対応する本数の空針を必要とし、一方の針床で針抜き編成でグランド編地を係止する編針の間の空針と、他方の針床の編針とを用いて行う。グランド編地が筒状編地になると、グランド編地の編目を前後の針床で係止する必要があり、残りの空針を用いればポケット編地の編成は可能でも、ポケット編地の目移しや伏目処理は、空針を使用する条件により編成が困難になる。
【０００５】
特許文献２に開示されている編成方法では、ポケットの開口部がウエール方向に延び、コース方向に延びる開口部は得られない。
【０００６】
本発明の目的は、必要な空針の本数が少なくてもよく、グランド編地が筒状編地になっても、筒状の切りポケット編地を確実に編成することができる、ポケット付編地の編成方法を提供することである。
【課題を解決するための手段】
【０００７】
本発明は、前後に針床を備える横編機を用い、筒状のポケット編地を備える筒状のグランド編地を、ポケットの開口部がコース方向となるように編成する、ポケット付編地の編成方法において、
ポケット編地との接合箇所までのグランド編地と、ポケット編地との両編地を、編幅方向に隣接する区間に分けてそれぞれ筒状に編成する両編地編成工程と、
両編地編成工程で編成したグランド編地とポケット編地とで、同じ針床側で隣接するそれぞれの編地の端部編目について、ポケット編地端部の編目をグランド編地の区間内に移動して、重ね目を形成した後、続けて新たな編目を形成する伏目処理と、伏目処理した編目に隣接したグランド編地端部について、重ね目を形成した後、続けて新たな編目を形成する伏目処理とを交互に繰返し、ポケット編地端部およびグランド編地端部の編目を減らしながら、ポケット編地端部をグランド編地端部側に回し込む伏目処理工程と、
伏目処理工程で減らしを行った後に残るグランド編地とポケット編地の編目に続けて新たな編目を形成し、グランド編地の編成を行うグランド編地編成工程とを、
含むことを特徴とするポケット付編地の編成方法である。
【０００８】
また本発明の前記伏目処理工程では、
ポケット編地端部の複数の編目を、グランド編地の区間内の空針に重ね目を形成するように移動し、形成した重ね目に対して新たな編目を形成するポケット編地側開始処理と、
グランド編地端部の複数の編目を、ポケット編地側開始処理で新たに形成した編目にポケット編地から離れる側で隣接する空針に重ね目を形成するように移動し、形成した重ね目に対して新たな編目を形成するグランド編地側開始処理とで、それぞれ伏目処理を開始し、
ポケット編地端部の編目について、ポケット側開始処理で新たに形成した編目に重ねるように移動し、形成した重ね目に対して新たな編目を形成するポケット編地側継続処理と、
グランド編地端部の編目について、グランド側開始処理で新たに形成した編目に重ねるように移動し、形成した重ね目に対して新たな編目を形成するグランド編地側継続処理とを、
交互に繰返すことを特徴とする。
【０００９】
また本発明で、前記ポケット編地側開始処理および前記グランド編地側開始処理で重ね目を形成する空針は、移動するポケット側編地端部とグランド側編地端部とを移動前に係止する針床に対向する針床に配置され、前記新たな編目は裏目となることを特徴とする。
【発明の効果】
【００１０】
本発明によれば、両編地編成工程で、ポケット編地との接合箇所までのグランド編地と、ポケット編地との両編地を、編幅方向に隣接する区間に分けてそれぞれ筒状に編成することができる。ポケット編地をグランド編地外で係止することで空針を確保することが可能となり、筒状のグランド編地内でポケット編地の編成や目移し用に空針を設けることも不要となる。ポケット編地とグランド編地とは、伏目処理工程で、ポケット編地端部およびグランド編地端部の編目を減らして、ポケット編地端部をグランド編地端部側に回し込みながら、コース方向に延びる開口部を形成する状態で、接合することができる。グランド編地編成工程では、伏目処理工程で減らしを行った後に残るグランド編地とポケット編地の編目に続けて新たな編目を形成し、グランド編地の編成を続けることができる。
【００１１】
また本発明によれば、伏目処理工程は、ポケット編地側とグランド編地側とにそれぞれ一本ずつの空針の使用で行うことができる。
【００１２】
また本発明によれば、伏目処理工程では、伏目が裏側に形成されるので、表側をフラットで綺麗に仕上げることができる。
【図面の簡単な説明】
【００１３】
【図１】図１は、本発明の一実施例であるポケット付編地の編成方法の概略的な手順を示す図である。
【図２】図２は、図１（ｂ）に示す伏目処理工程の一部を示す編成図である。
【図３】図３は、図１（ｂ）に示す伏目処理工程で、図２に続く一部を示す編成図である。
【図４】図４は、図１（ｃ）に示すポケット付編地５の編組織を示す図である。
【発明を実施するための形態】
【００１４】
以下、図１〜図４で本発明の一実施例について説明する。各図の説明では、先に説明した部分に対応する部分には同一の参照符を付し、重複する説明を省略する場合がある。また、各図の説明では、当該図面には存在せずに先に説明する図には存在する符号を用いて説明する場合がある。
【実施例】
【００１５】
図１は、本発明の一実施例であるポケット付編地５の編成方法の概略的な手順を示す。ポケット付編地５は、前後に針床を備える横編機を用い、筒状の切りポケット編地２，３を備える筒状のグランド編地１，４を、切りポケット編地２，３の開口部がコース方向となるように、両編地編成工程と、伏目処理工程と、グランド編地編成工程とで編成する。
【００１６】
図１（ａ）は、両編地編成工程で編成される切りポケット編地２，３と、切りポケット編地２，３との接合箇所までのグランド編地１との両編地を、編幅方向に隣接する区間に分けてそれぞれ筒状に編成した状態を示す。次に図１（ｂ）に示す伏目処理工程で、グランド編地１の前針床に係止されている編地端部で、編幅方向の両側に設ける接合箇所１ａ，１ｂに、切りポケット編地２，３の前針床側終端部２ａ，３ｂがそれぞれ接合される。切りポケット編地２，３の後針床側終端部２ｃ，３ｄには、図１（ｃ）に示すグランド編地４が続く。
【００１７】
図１（ｂ）は、伏目処理工程で、切りポケット編地２，３をグランド編地１に接合した状態を示す。筒状の切りポケット編地２，３は、筒状のグランド編地１の外側に付属し、前針床側端部２ａ，３ｂをグランド編地の接合箇所１ａ，１ｂに伏目処理で接合した編地端部と、後針床側端部２ｃ，３ｄとの間が開口部となる。伏目処理工程では、伏目が裏側に形成されるので、表側をフラットで綺麗に仕上げることができる。
【００１８】
図１（ｃ）は、グランド編地編成工程でグランド編地４の編成を行った状態を示す。グランド編地４は、伏目処理工程で減らしを行った後に残るグランド編地１の接合箇所１ａ，１ｂを除く編目と、切りポケット編地２，３の後針床側端部２ｃ，３ｄの編目とに続けて新たな編目を形成する。
【００１９】
図２および図３は、図１（ｂ）に示す伏目処理工程の一部を示す。編成に使用する横編機としては、前後に各上下二段の針床を備える四枚ベッド機を使用する。前針床および後針床の下段は、ＦＤ，ＢＤでそれぞれ示す。後針床の上段はＢＵで示す。本実施例の説明では、前針床の上段は使用しない。伏目処理工程は、ポケット編地側とグランド編地側とにそれぞれ一本ずつの空針を使用して行うことができる。
【００２０】
手順Ｓ０は、図１（ａ）に示すような両編成工程が終了した状態を示す。ただし、切りポケット編地２は、片側のみ示す。図１（ａ）に示す右側の切りポケット編地３も、以下に説明する左側の切りポケット編地２をグランド編地１の左側に付属させる方法と同様にして、グランド編地１の右側に付属させることができる。説明の便宜上、グランド編地１の編目をａ〜ｎで示し、切りポケット編地２の編目を１〜８で示す。製品として編成する編地では、より多数の編目を対象とする。
【００２１】
手順Ｓ１およびＳ２は、切りポケット編地２の前針床側終端部２ａの複数の編目を、グランド編地１の区間内のＢＵの空針に重ね目を形成するように移動し、形成した重ね目に対して新たな編目を形成するポケット編地側開始処理を示す。すなわち、手順Ｓ１では、ＦＤの編目１と編目ａとをＢＵの編針ｎと編針ｍとにそれぞれ移しし、ＦＤの編目４，３，２を右に２ピッチ分移動して、編目２をＢＵに目移ししている編目１に重ねる。手順Ｓ２では、ＢＤの編目５をＦＤの編目４の左隣側に目移しし、ＢＵで編目１に編目２を重ねた編目に対し、新たな編目を形成する。
【００２２】
手順Ｓ３およびＳ４は、グランド編地１の端部に設ける接合箇所１ａの複数の編目を、ポケット編地側開始処理で新たに形成した編目に切りポケット編地２から離れる側で隣接する空針に重ね目を形成するように移動し、形成した重ね目に対して新たな編目を形成するグランド編地側開始処理を示す。すなわち、手順Ｓ３では、ＦＤの編目ｂをＢＵに目移ししている編目ａに重ねる。手順Ｓ４では、ＢＵで編目ａに編目ｂを重ねた編目に対し、手順Ｓ２で新たな編目を形成するために使用した編糸で新たな編目を形成する。
【００２３】
手順Ｓ５およびＳ６は、切りポケット編地２の前針床側終端部２ａの編目について、ポケット側開始処理で新たに形成した編目に重ねるように移動し、形成した重ね目に対して新たな編目を形成するポケット編地側継続処理を示す。すなわち、手順Ｓ５では、ＦＤの編目５，４，３を右に２ピッチ分移動して、編目３をＢＵに目移しし、手順Ｓ４で新たに形成した編目に重ねる。手順Ｓ６では、ＢＵで編目３を重ねた編目に対し、新たな編目を形成し、ＢＤの編目６をＦＤの編目５の左隣側に目移しする。
【００２４】
手順Ｓ７およびＳ８は、グランド編地１の端部に設ける接合箇所1ａの編目について、グランド側開始処理で新たに形成した編目に重ねるように移動し、形成した重ね目に対して新たな編目を形成するグランド編地側継続処理を示す。すなわち、手順Ｓ７では、ＦＤの編目ｃをＢＵに目移しし、手順Ｓ４で新たに形成した編目に重ねる。手順Ｓ８では、ＢＵで編目ｃを重ねた編目に対し、新たな編目を形成する。
【００２５】
以下、手順Ｓ５から手順Ｓ８と同様にポケット編地側継続処理とグランド編地側継続処理とを繰返す。この繰返しで、切りポケット編地２の前針床側終端部２ａおよびグランド編地１の端部に設ける接合箇所１ａの編目を減らしながら、切りポケット編地２の後針床側終端部２ｃをグランド編地１の端部に設ける接合箇所１ａ側に回し込む。
【００２６】
たとえば、手順Ｓ９は、ＦＤの編目６，５，４を右に２ピッチ分移動して、編目４をＢＵに目移しし、手順Ｓ６で新たに形成した編目に重ねた状態を示す。手順Ｓ１０は、手順Ｓ９で重ねた編目に、さらに新たな編目を形成するとともに、ＢＤの編目７を編目６の左隣側に目移しした状態を示す。これらの手順Ｓ９およびＳ１０は、ポケット編地側継続処理の一部となる。
【００２７】
手順Ｓ１１は、ＦＤの編目７，６，５を右に２ピッチ分移動して、編目５をＢＵに目移しし、手順Ｓ１０で新たに形成した編目に重ねた後で、新たな編目を形成し、ＢＤの編目８をＦＤの編目７の左隣側に目移しした状態を示す。本実施例では、手順Ｓ１１で伏目処理工程を終了する。なお、伏目処理としては、種々の方法が知られているので、説明した方法とは異なる方法を利用することもできる。本実施例の伏目処理は、手順Ｓ２〜Ｓ１１における重ね目に対して続けて編目を形成するニット編成で、全て後針床にて裏目を形成している。つまり、伏目処理を裏目で行っており、形成された編目は接合された編地の裏側に配置されることで、表側をフラットで綺麗に仕上げることができる。
【００２８】
図４は、図１（ｃ）に示すポケット付編地５の編組織を示す。図４（ａ）は、図１（ｃ）のポケット付編地５に相当する全体形状を示す。切りポケット編地２，３の前針床側終端部２ａ，３ｂおよびグランド編地１の接合箇所１ａ，１ｂの伏目接合箇所と、後針床側終端部２ｃ，３ｄとの間に、開口部が形成されている。筒状の切りポケット編地２，３は、この開口部から、筒状のグランド編地１，４の内側に押込まれている。図４（ｂ）は、切りポケット編地３側の開口部を拡大して示す。
【００２９】
図４（ｃ）は、切りポケット編地３とグランド編地１，４との接合箇所の裏側を示す。グランド編地１と切りポケット編地３との伏目による接合箇所が裏側に形成されるので、図４（ｂ）に示すように、表側をフラットで綺麗に仕上げることができる。
【符号の説明】
【００３０】
１，４  グランド編地
１ａ，１ｂ  接合箇所
２，３  切りポケット編地
２ａ，３ｂ  前針床側終端部
２ｃ，３ｄ  後針床側終端部
【図１】
2015010284.tif 000003
【図２】
2015010284.tif 000004
【図３】
2015010284.tif 000005
【図４】
2015010284.tif 000006